【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
入力された画像から、所定のフォーマットの電子文書を生成する画像処理装置であって、
前記画像を解析し、表領域を識別する領域識別手段と、
前記識別された表領域の表構造及び罫線を解析し、表のセルの情報を含む表構造情報を生成する表構造解析手段と、
前記生成された表構造情報に含まれる前記セルの辺を、前記フォーマットに従って表の罫線として表現可能であるか否かを判断する判断手段と、
前記罫線として表現可能であると判断された前記辺から、前記フォーマットに従って表現される罫線情報を生成する手段と、
前記罫線として表現不可能であると判断された前記辺に対してベクトル変換処理を行い、ベクトル罫線オブジェクトを生成する手段と、
前記生成された前記表構造情報、前記罫線情報、及び前記ベクトル罫線オブジェクトから前記電子文書を生成する電子文書生成手段と
を備えたことを特徴とする画像処理装置。
【請求項２】
前記判断手段は、前記辺とその隣辺とが接する角の曲率に基づいて、前記生成された表構造情報に含まれる前記セルの辺を、前記フォーマットに従って表の罫線として表現可能であるか否かを判断すること
を特徴とする請求項１に記載の画像処理装置。
【請求項３】
前記判断手段は、前記辺の線色に基づいて、前記生成された表構造情報に含まれる前記セルの辺を、前記フォーマットに従って表の罫線として表現可能であるか否かを判断すること
を特徴とする請求項１に記載の画像処理装置。
【請求項４】
前記判断手段は、前記辺の線種に基づいて、前記生成された表構造情報に含まれる前記セルの辺を、前記フォーマットに従って表の罫線として表現可能であるか否かを判断すること
を特徴とする請求項１に記載の画像処理装置。
【請求項５】
前記判断手段は、前記生成された表構造情報に含まれる表の位置に基づいて、前記生成された表構造情報に含まれる前記セルの辺を、前記フォーマットに従って表の罫線として表現可能であるか否かを判断することを特徴とする請求項１に記載の画像処理装置。
【請求項６】
前記電子文書生成手段は、前記ベクトル罫線オブジェクトを前記表構造情報に応じたセル上に配置するようにした前記電子文書を生成することを特徴とする請求項１に記載の画像処理装置。
【請求項７】
文字認識手段をさらに備え、
前記領域識別手段は、文字領域を識別し、
前記文字認識手段は、前記識別された文字領域から文字を認識し、
前記電子文書生成手段は、前記生成された前記表構造情報、前記罫線情報、前記ベクトル罫線オブジェクト、及び前記認識された文字から前記電子文書を生成すること
を特徴とする請求項１に記載の画像処理装置。
【請求項８】
前記電子文書の前記フォーマットは、スプレッドシートのフォーマットであることを特徴とする請求項１に記載の画像処理装置。
【請求項９】
入力された画像から、所定のフォーマットの電子文書を生成する画像処理方法であって、
前記画像を解析し、表領域を識別する領域識別ステップと、
前記識別された表領域の表構造及び罫線を解析し、表のセルの情報を含む表構造情報を生成する表構造解析ステップと、
前記生成された表構造情報に含まれる前記セルの辺を、前記フォーマットに従って表の罫線として表現可能であるか否かを判断する判断ステップと、
前記罫線として表現可能であると判断された前記辺から、前記フォーマットに従って表現される罫線情報を生成するステップと、
前記罫線として表現不可能であると判断された前記辺に対してベクトル変換処理を行い、ベクトル罫線オブジェクトを生成するステップと、
前記生成された前記表構造情報、前記罫線情報、及び前記ベクトル罫線オブジェクトから前記電子文書を生成する電子文書生成ステップと
を備えたことを特徴とする画像処理方法。
【請求項１０】
入力された画像から、所定のフォーマットの電子文書を生成する画像処理方法をコンピュータに実行させるためのプログラムであって、前記方法は、 
前記画像を解析し、表領域を識別する領域識別ステップと、
前記識別された表領域の表構造及び罫線を解析し、表のセルの情報を含む表構造情報を生成する表構造解析ステップと、
前記生成された表構造情報に含まれる前記セルの辺を、前記フォーマットに従って表の罫線として表現可能であるか否かを判断する判断ステップと、
前記罫線として表現可能であると判断された前記辺から、前記フォーマットに従って表現される罫線情報を生成するステップと、
前記罫線として表現不可能であると判断された前記辺に対してベクトル変換処理を行い、ベクトル罫線オブジェクトを生成するステップと、
前記生成された前記表構造情報、前記罫線情報、及び前記ベクトル罫線オブジェクトから前記電子文書を生成する電子文書生成ステップと
を備えたことを特徴とするプログラム。
【手続補正２】
【補正対象書類名】明細書
【補正対象項目名】０００５
【補正方法】変更
【補正の内容】
【０００５】
本発明に係る画像処理装置は、入力された画像から、所定のフォーマットの電子文書を生成する画像処理装置であって、前記画像を解析し、表領域を識別する領域識別手段と、前記識別された表領域の表構造及び罫線を解析し、表のセルの情報を含む表構造情報を生成する表構造解析手段と、前記生成された表構造情報に含まれる前記セルの辺を、前記フォーマットに従って表の罫線として表現可能であるか否かを判断する判断手段と、前記罫線として表現可能であると判断された前記辺から、前記フォーマットに従って表現される罫線情報を生成する手段と、前記罫線として表現不可能であると判断された前記辺に対してベクトル変換処理を行い、ベクトル罫線オブジェクトを生成する手段と、前記生成された前記表構造情報、前記罫線情報、及び前記ベクトル罫線オブジェクトから前記電子文書を生成する電子文書生成手段とを備えたことを特徴とする。
【手続補正３】
【補正対象書類名】明細書
【補正対象項目名】０００６
【補正方法】変更
【補正の内容】
【０００６】
本発明に係る画像処理方法は、入力された画像から、所定のフォーマットの電子文書を生成する画像処理方法であって、前記画像を解析し、表領域を識別する領域識別ステップと、前記識別された表領域の表構造及び罫線を解析し、表のセルの情報を含む表構造情報を生成する表構造解析ステップと、前記生成された表構造情報に含まれる前記セルの辺を、前記フォーマットに従って表の罫線として表現可能であるか否かを判断する判断ステップと、前記罫線として表現可能であると判断された前記辺から、前記フォーマットに従って表現される罫線情報を生成するステップと、前記罫線として表現不可能であると判断された前記辺に対してベクトル変換処理を行い、ベクトル罫線オブジェクトを生成するステップと、前記生成された前記表構造情報、前記罫線情報、及び前記ベクトル罫線オブジェクトから前記電子文書を生成する電子文書生成ステップとを備えたことを特徴とする。
【手続補正４】
【補正対象書類名】明細書
【補正対象項目名】０００７
【補正方法】変更
【補正の内容】
【０００７】
本発明に係るプログラムは、入力された画像から、所定のフォーマットの電子文書を生成する画像処理方法をコンピュータに実行させるためのプログラムであって、前記方法は、前記画像を解析し、表領域を識別する領域識別ステップと、前記識別された表領域の表構造及び罫線を解析し、表のセルの情報を含む表構造情報を生成する表構造解析ステップと、前記生成された表構造情報に含まれる前記セルの辺を、前記フォーマットに従って表の罫線として表現可能であるか否かを判断する判断ステップと、前記罫線として表現可能であると判断された前記辺から、前記フォーマットに従って表現される罫線情報を生成するステップと、前記罫線として表現不可能であると判断された前記辺に対してベクトル変換処理を行い、ベクトル罫線オブジェクトを生成するステップと、前記生成された前記表構造情報、前記罫線情報、及び前記ベクトル罫線オブジェクトから前記電子文書を生成する電子文書生成ステップとを備えたことを特徴とするプログラム。